(57)【要約】【課題】袋内への物品の供給を良好に行なうことができる袋詰機の袋保持移送装置を提供する。【解決手段】背シール部１２ｃを下向きとして袋１２が積層されるマガジン１４の下方に、移送コンベヤ１８が配設される。移送コンベヤ１８に、走行方向に離間して複数の挟持手段２２が配設される。挟持手段２２は、キャリア２３に固定した固定挟持部材２４と、キャリア２３に回動自在に枢支した可動挟持部材２６とを備える。マガジン１４の下方に吸着手段４６が昇降自在に配設される。吸着手段４６は、マガジン１４の最下部に位置する袋１２の背シール部１２ｃを吸着した後に下降することで、吸着保持した袋１２を移送コンベヤ１８に受渡す。そして、袋１２が移送コンベヤ１８に受渡される際に、背シール部１２ｃが挟持手段２２で挟持される。【選択図】図１
2006182360.tif 000002
【特許請求の範囲】
【請求項１】
一方が開口し、袋胴部の一側面における袋幅の略中央位置に、袋胴部から所定幅延出すると共に底シール部(12a)と直交して開口端部まで延びるよう形成された背シール部(12c)が袋胴部に沿って折曲げられた袋(12)を保持して、袋幅方向に沿って移送する移送手段(18)を備え、
前記移送手段(18)には、前記袋胴部に沿って折曲げられた背シール部(12c)を袋胴部から立上げることなく挟持して袋(12)を保持状態とする挟持手段(22)が所定間隔毎に設けられている
ことを特徴とする袋詰機の袋保持移送装置。
【請求項２】
前記挟持手段(22)は一対の挟持部材(24,26)を備え、一方の挟持部材(26)は、袋胴部に沿うように折曲げられた前記背シール部(12c)の延出端から袋胴部との間に進入し得るよう構成されている請求項１記載の袋詰機の袋保持移送装置。
【請求項３】
前記挟持手段(22)における移送手段(18)の移送方向上流側に位置する一方の挟持部材(26)は、袋胴部に沿うよう移送方向上流側に向けて折曲げられた前記背シール部(12c)の延出端から袋胴部との間に進入して背シール部(12c)を挟持する挟持位置へ移動する可動挟持部材(26)で構成されている請求項２記載の袋詰機の袋保持移送装置。
【請求項４】
前記挟持手段(22)における一方の挟持部材(26)は、前記背シール部(12c)の延出端から袋胴部との間に進入する際に、該袋胴部を押して背シール部(12c)との間に隙間を形成する請求項２記載の袋詰機の袋保持移送装置。
【請求項５】
前記袋(12)を保持して挟持手段(22)へ受渡す吸着手段(46)を備え、該吸着手段(46)は、袋載置部(14)から袋(12)を取出してから前記移送手段(18)に近接する方向の所定位置まで移動後、移送手段(18)の移送速度より遅い速度で移送手段(18)の移送方向へ移動し、前記挟持手段(22)が背シール部(12c)を挟持し得る位置に達した後、挟持手段(22)と共に袋(12)を移送手段(18)の移送速度と略同速度で移動し、その移動中に、挟持手段(22)で背シール部(12c)を挟持するタイミングに合わせて前記吸着手段(46)による袋(12)の吸引を解除するよう構成した請求項１〜４の何れかに記載の袋詰機の袋保持移送装置。
【請求項６】
前記背シール部(12c)を吸着する吸着手段(46)を備え、該吸着手段(46)は、前記背シール部(12c)の前記挟持手段(22)での挟持位置外となる位置を吸着し、少なくとも挟持手段(22)での挟持位置に対応する部位の背シール部(12c)を袋胴部から離間させて前記袋(12)を挟持手段(22)へ受渡すよう構成した請求項１〜５の何れかに記載の袋詰機の袋保持移送装置。
【請求項７】
前記袋(12)における挟持手段(22)での挟持位置より袋口側を吸着保持して、前記移送手段(18)と共に袋(12)を移送する吸着移送手段(50,52)を備えている請求項１〜６の何れかに記載の袋詰機の袋保持移送装置。
【発明の詳細な説明】
【技術分野】
【０００１】
この発明は、袋詰機において袋を保持して移送する袋保持移送装置に関するものである。
【背景技術】
【０００２】
一方が開口された袋に物品を供給して包装する袋詰機で袋を保持して移送する装置としては、従来では袋口部の両側を夫々挟持する一対のクランプで袋口部を挟持した状態で袋を移送するようにしている(例えば、特許文献１参照)。この装置では、袋口部を挟持している両クランプを相互に近接する方向に移動すると共に、袋の上下面を吸着した一対のバキュームノズルを相互に離反することで袋口部を開いて、袋内へ物品を供給するよう構成されている。
【特許文献１】特開２００２−１７９００１号公報
【発明の開示】
【発明が解決しようとする課題】
【０００３】
前記装置によれば、クランプで袋口部の両側を挟持した状態で袋口を開けるため、その分、袋口部の開きが少なくなり、該物品に対して袋の大きさに余裕がないものの場合は、物品を袋に供給する際に物品がクランプ部位に干渉して損傷するおそれがあるばかりでなく、例えばせんべい等の物品を複数枚集積状態にして一括供給する場合等において、整列物品の一部が前記クランプに接触して整列状態が乱れてしまうといった事態を招くおそれがある。
【０００４】
すなわちこの発明は、前記した従来の技術に係る課題に鑑み、これらを好適に解決するべく提案されたものであって、例えば袋に収容される物品と袋の内容積との差が少なく、袋の大きさに余裕がないものである場合等、袋の開口を最大限にしたもとで袋内への物品の供給を良好に行なうことができる袋詰機の袋保持移送装置を提供することを目的とする。
【課題を解決するための手段】
【０００５】
前述した課題を解決し、所期の目的を達成するため、本発明に係る袋詰機の袋保持移送装置は、
一方が開口し、袋胴部の一側面における袋幅の略中央位置に、袋胴部から所定幅延出すると共に底シール部と直交して開口端部まで延びるよう形成された背シール部が袋胴部に沿って折曲げられた袋を保持して、袋幅方向に沿って移送する移送手段を備え、
前記移送手段には、前記袋胴部に沿って折曲げられた背シール部を袋胴部から立上げることなく挟持して袋を保持状態とする挟持手段が所定間隔毎に設けられていることを特徴とする。
【発明の効果】
【０００６】
請求項１の発明に係る袋詰機の袋保持移送装置によれば、袋の背シール部を挟持手段で挟持するから、袋口を最大限に開口した状態で物品を供給することができ、物品に対して袋の大きさ(胴回り寸法)に余裕が少なくても、物品を損傷することなく内部に良好に供給できる。また袋口にクランプ等が存在していないから、物品供給時に物品が干渉して損傷したり集合物品の集合姿勢が乱れたりするおそれもない。更に、移送手段により袋を袋幅方向に移送すると共に袋幅の略中央に設けられた背シール部を挟持手段で挟持するようにしたから、袋幅が異なる袋でも、挟持手段を移送方向へ位置調節することなく対応し得る。更にまた、挟持手段で背シール部を袋胴部から立上げることなく挟持して袋を保持状態とするから、袋開口部のシールに際して背シール部が逆方向に折れ曲がったり位置ズレすることに起因するシール不良の発生を未然に防止できる。
【０００７】
請求項２に係る袋保持移送装置によれば、挟持手段を構成する一方の挟持部材を、袋胴部に沿って折曲げられた背シール部の延出端から袋胴部との間に進入し得るよう構成したから、背シール部を挟持手段により確実に挟持することができる。請求項３に係る袋保持移送装置によれば、背シール部が移送方向上流側に向けて折曲げられ、かつ上流側に位置する一方の挟持部材が移送方向の下流側に移動して背シール部を挟持できるので、移送手段の連続走行中に袋を受渡す際にも、挟持部材を背シール部と袋胴部との間に容易に進入させ得る。請求項４に係る袋保持移送装置によれば、挟持手段を構成する一方の挟持部材が背シール部と袋胴部との間に進入する際に、該袋胴部を押して背シール部との間に隙間を形成するよう構成したから、挟持手段により背シール部をより確実に挟持することができる。
【０００８】
請求項５に係る袋保持移送装置によれば、吸着手段で保持した袋を、移送手段の移送速度より遅い速度から略同速となるように移動し、移送手段の走行によって挟持手段が袋の吸着位置に追いついて略同速になった時に挟持させるので、挟持手段による背シール部の挟持位置を一定にできる。また、袋と挟持手段とが略同速で移動するから、受渡し時に挟持手段で袋をけとばすことはなく、吸着手段から挟持手段への袋の受渡しを確実に行なうことができる。請求項６に係る袋保持移送装置によれば、袋を移送手段に受渡すに際し、挟持手段での挟持前に背シール部を吸着して、少なくとも挟持手段での挟持位置に対応する部位を袋胴部から離間させるようにしたから、挟持手段を背シール部と袋胴部との間へ確実に進入させることができ、前記挟持手段による背シール部の挟持が良好に行なわれる。請求項７に係る袋保持移送装置によれば、袋の袋口側を吸着移送手段で吸着保持して移送するから、袋が位置ズレすることなく良好な移送が達成され、例えば開口手段や物品供給手段による開口や物品供給が良好に行なわれる。
【発明を実施するための最良の形態】
【０００９】
次に、本発明に係る袋詰機の袋保持移送装置につき、好適な実施例を挙げて、添付図面を参照しながら以下説明する。なお、説明の便宜上、特にことわりのない限り、挟持手段に関連する説明については、該挟持手段が移送コンベヤの上側の移送路を走行する状態で説明するものとする。
【実施例】
【００１０】
図１に示す如く、袋載置部としてのマガジン１４に一方が開口する袋の袋底部に、袋を横断する方向に形成される底シール部１２ａを備えた袋１２が積層される。前記マガジン１４は、略Ｌ字状に形成された一対の支持部材１６,１６が、袋幅方向左右両側を支持可能に配設され、その水平な載置面１６ａ,１６ａの間には、後述する吸着手段４６で袋１２を取出し得る隙間１４ａが画成されている。なお、前記袋１２は、袋胴部の一側面における袋幅の略中央位置に、底シール部１２ａと直交して袋１２の開口端部まで延びる合掌状の背シール部１２ｃが、袋胴部に沿って折曲げられた状態で所定幅延出するよう形成され、この背シール部１２ｃが下方を走行する移送コンベヤ１８の移送方向と交差すると共に該移送コンベヤ１８と対向する側(下側)になる姿勢でマガジン１４に載置される。また背シール部１２ｃの延出方向は、前記移送方向の上流側を指向するようにして前記隙間１４ａに臨み、該背シール部１２ｃが吸着手段４６により吸着されて取出し得るよう設定されている。
【００１１】
移送手段としての移送コンベヤ１８は、図３に示す如く、平行に循環走行する一対の無端チェン(無端索体)２０,２０を並列に有し、両無端チェン２０,２０には、挟持手段２２で袋１２を挟持して袋幅方向に沿って移送する複数のキャリア２３が走行方向に所定間隔毎に配設されている。各キャリア２３は、袋１２における袋胴部を所定幅に亘って載置して支持する支持面２３ａを備えると共に、固定挟持部材(挟持部材)２４と、キャリア２３に回動自在に枢支された可動挟持部材(一方の挟持部材)２６とからなる挟持手段２２を備え、該挟持手段２２によって袋１２における背シール部１２ｃを移送方向の前後から挟持するよう構成されている。なお、一対の無端チェン２０,２０間には、各キャリア２３を挟む移送方向の両側に一対の支持板２８,２８が架設され、前記マガジン１４から取出された袋１２を前記キャリア２３と両支持板２８,２８上に載置して移送するようになっている(図３参照)。またキャリア２３および支持板２８,２８は、袋１２の袋長さ(開口端１２ｂから底部までの長さ)の中心を基準として、所定長さ範囲に亘り袋１２を載置して保持し得る大きさに設定される。
【００１２】
前記キャリア２３は、図３に示す如く、幅方向に離間して走行方向に沿って所定長さで延在する一対の支持片部２５ａ,２５ａと、両支持片部２５ａ,２５ａを下流側で連結する連結部２５ｂとから平面視において下流側に開放するコ字状に形成され、両支持片部２５ａ,２５ａ間の連結部２５ｂに沿って前記固定挟持部材２４が配設されている。この固定挟持部材２４は、ウレタンゴム等からなる弾性材を材料として板状に形成され、袋１２が載置される表側の平坦面２４ａがキャリア２３の支持面２３ａと同レベルとなるよう設定してある。また固定挟持部材２４における移送方向の上流側端部には、図１および図２に示す如く、平坦面２４ａから上流側端部に向けて先細りとなる傾斜面２４ｂが形成されている。前記キャリア２３の連結部２５ｂの裏面(支持面２３ａとは反対側の面)における幅方向の略中央位置に、上流側に向けて延出するように保持部３２が突設され、該保持部３２の上流端部には幅方向に延在する回動軸３４が回動自在に枢支されている。
【００１３】
前記可動挟持部材２６は、前記固定挟持部材２４と略同一の幅寸法に設定されて該固定挟持部材２４の上流側に位置すると共に、その裏面には、幅方向に離間して一対の支持部３８,３８が突設され、両支持部３８,３８が前記保持部３２を挟む両側において前記回動軸３４と一体的に回動するよう配設されている。そして可動挟持部材２６は、回動軸３４を中心として固定挟持部材２４の傾斜面２４ｂに下流側端面(後述する傾斜面２６ｂ)が当接する挟持位置と、該下流側端面が上流側に離間する開放位置との間を揺動し得るよう設定される。なお、可動挟持部材２６は、挟持位置において袋１２が載置される表側に平坦面２６ａを有する板状に形成されると共に、その移送方向の下流側を指向する端部は、固定挟持部材２４の傾斜面２４ｂに対応するよう裏側が平坦面２６ａに向けて先細りとなる傾斜面２６ｂを備えた楔状に形成され、可動挟持部材２６が開放位置から挟持位置に傾動する際に袋胴部を押して、袋胴部と、該袋胴部に沿うように折曲げられた前記背シール部１２ｃとの間に隙間を形成するよう作用して該背シール部１２ｃの延出端から袋胴部との間へ進入するようになっている。
【００１４】
前記キャリア２３と、可動挟持部材２６における各支持部３８との間に加圧手段としての引張りバネ４０が夫々張架され、両バネ４０,４０によって可動挟持部材２６は、常にはその傾斜面２６ｂが固定挟持部材２４の傾斜面２４ｂに当接する挟持位置に付勢保持されるよう構成される(図２参照)。またキャリア２３における両支持片部２５ａ,２５ａの支持面２３ａ,２３ａには、両挟持部材２４,２６の傾斜面２４ｂ,２６ｂが当接する位置に対応する部位に凹部２７,２７が幅方向に延在するよう形成され(図１参照)、後述する吸着手段４６による背シール部１２ｃの離間動作時並びに可動挟持部材２６が背シール部１２ｃと袋胴部との間へ進入する際に袋胴部から離間する背シール部１２ｃが凹部２７,２７内に進入し得るよう構成される。
【００１５】
前記可動挟持部材２６における一方の支持部３８にフォロワ４２が回動自在に枢支されている。また前記挟持手段２２(キャリア２３)が走行する袋移送路の下方には、前記マガジン１４の下方の袋受取り位置と、移送コンベヤ１８の下流側に設定された袋解放位置との夫々に、前記フォロワ４２が下面を転動するカム部材４４(上流側のカム部材のみ図示)が配設されている。各カム部材４４の下面は、図１に示す如く、移送方向の上流側から下流側に向けて下方傾斜する第１転動面４４ａと、該第１転動面４４ａの下流端から移送方向と平行に下流側に延在する第２転動面４４ｂと、該第２転動面４４ｂの下流端から下流側に向けて上方傾斜する第３転動面４４ｃとから構成され、前記フォロワ４２が第１転動面４４ａを転動することで可動挟持部材２６が挟持位置から開放位置に向けて傾動し、該フォロワ４２が第２転動面４４ｂを転動する際には可動挟持部材２６が開放位置に保持されるよう設定される。そして、フォロワ４２が第３転動面４４ｃを転動後、該フォロワ４２がカム部材４４から離間した状態に至った際に可動挟持部材２６は引張りバネ４０の弾力によって挟持位置に保持されるようになっている(図２参照)。
【００１６】
前記マガジン１４における隙間１４ａの下方には、図４に示す如く、前記移送コンベヤ１８を挟む幅方向の両側に位置する一対の吸着カップ４６ａ,４６ａからなる吸着手段４６が昇降可能に配設されており、各吸着カップ４６ａの吸着面４６ｂは上方に向けている。吸着手段４６は、図示しない昇降手段により、吸着面４６ｂ,４６ｂが前記マガジン１４の最下部に位置する袋１２の背シール部１２ｃを吸着し得る吸着位置と、前記支持板２８,２８の袋載置面より下降した袋移送レベルより下方となる退避位置との間を昇降移動するよう構成される。また吸着手段４６は、背シール部１２ｃを前記挟持手段２２で挟持する位置に干渉しない挟持位置外となる挟持位置を挟む両外側位置で背シール部１２ｃを吸着保持して前記マガジン１４から袋１２を取出し、該袋１２が下方を通過するキャリア２３と支持板２８,２８上に載置された後に吸着手段４６が更に退避位置まで下降するのに伴って、吸着保持している背シール部１２ｃが前記キャリア２３の凹部２７,２７内に引き込まれることで、背シール部１２ｃにおける少なくとも挟持手段２２での挟持位置に対応する部位を袋胴部から離間させるようにして移送コンベヤ１８における挟持手段２２へ受渡すよう構成される。更に、各吸着カップ４６ａの吸着面４６ｂで作用する吸引力は、吸着手段４６が退避位置に下降する際に、挟持手段２２における可動挟持部材２６が背シール部１２ｃの延出端から袋胴部との間に進入後の各挟持部材２４,２６での挟持タイミングに合わせた所定タイミングで解除されるよう設定してある。なお、吸着カップ４６ａにおける吸着面４６ｂの大きさおよび吸着位置に関しては、吸着保持した背シール部１２ｃを退避位置に下降する際に挟持手段２２での挟持位置に対応した位置を袋胴部から離間させ得るようになっていればよく、実施例に限定されるものではない。
【００１７】
前記袋受取り位置より下流側において移送コンベヤ１８を挟む幅方向の両側には、図４に示す如く、移送コンベヤ１８で移送される袋１２におけるコンベヤ側方に延出する部分を支持するガイド部材４８,４８が配設されている。なお、袋１２における袋底部側を支持する一方のガイド部材４８が移送コンベヤ１８の移送終端まで延在するのに対し、袋１２における開口端部側を支持する他方のガイド部材４８は、後述する開口手段による袋口の開口位置の上流側における吸着ベルト５０の配設位置上流側端部近傍が終端部に設定されている。
【００１８】
前記移送コンベヤ１８の袋受取り位置より下流側には、該移送コンベヤ１８で移送される袋１２における開口端部側が延出する一側方に、物品を袋内に供給するに先立ち該袋１２の袋口を開口する開口手段と、物品を袋内に押込んで供給する物品供給手段(何れも図示せず)が配設される。また物品供給手段の物品供給部より下流側には、物品が供給された袋１２の袋口部をシールするシール手段(図示せず)が配設される。なお、前記移送コンベヤ１８は、シール手段によるシール位置より下流側まで延在し、該シール位置の下流側に前記袋解放位置が設定されている。
【００１９】
前記移送コンベヤ１８における袋１２の開口端部側が延出する一側方に、図５に示す如く、吸引孔５０ａが走行方向に所定間隔で複数形成された吸着ベルト５０が、前記開口手段によって袋口が開口される位置から物品供給手段で物品が袋内に押込まれる位置までの間に亘って、移送コンベヤ１８の移送方向に沿って該コンベヤ１８の速度と略同一速度で循環走行するよう配設されている。また吸着ベルト５０における下面側には、図示しない吸引源に接続する吸引チャンバー５２が接し、移送コンベヤ１８で移送される袋１２における前記挟持手段２２での挟持位置より開口側における袋胴部の裏面となる下面を、吸引チャンバー５２上面の透孔５２ａおよび前記吸引孔５０ａを介して作用する吸引力によってベルト上面に吸着保持した状態で下流側に移送するよう構成される。なお、吸引孔５０ａは、前記移送コンベヤ１８における各挟持手段２２で挟持されて移送される袋１２の裏面を吸着保持し得る間隔で設けられている。また吸着ベルト５０の袋支持面となる上面高さは、前記移送コンベヤ１８の袋移送面と略同一レベルとなるよう設定されている。実施例では吸引チャンバー５２と吸着ベルト５０とから吸着移送手段が構成される。
【００２０】
〔実施例の作用〕
次に、前述した実施例に係る袋詰機の袋保持移送装置の作用につき説明する。
【００２１】
前記袋詰機における前記移送コンベヤ１８が所定速度で走行し、前記挟持手段２２が袋受取り位置に到来する前のタイミングで、前記吸着手段４６が退避位置から吸着位置に上昇し、前記マガジン１４に積層されている最下部の袋１２における背シール部１２ｃを吸着した後、下降することで袋１２がマガジン１４の隙間１４ａから下方に引き降ろされる。
【００２２】
前記挟持手段２２における可動挟持部材２６は、移送コンベヤ１８の走行に伴って前記フォロワ４２がカム部材４４の第１転動面４４ａを転動することで挟持位置から開放位置に向けて傾動される。そして、フォロワ４２が第２転動面４４ｂに至って該第２転動面４４ｂを転動することで可動挟持部材２６は、開放位置に保持されたまま袋受取り位置に到来する。このとき、前記吸着手段４６によりマガジン１４から引き降ろされた袋１２がキャリア２３と支持板２８,２８上に当接して支持状態となり、更に吸着手段４６が退避位置まで移動することで、吸着手段４６で吸着保持されている背シール部１２ｃを前記キャリア２３の凹部２７,２７内に引き込むことで袋胴部から離間させ、その状態を一時的に維持する。前記フォロワ４２がカム部材４４の第３転動面４４ｃを転動することで挟持位置に向けて傾動する可動挟持部材２６が袋胴部を押し上げることで背シール部１２ｃとの間に隙間を形成しつつ、その先端が背シール部１２ｃの延出端から袋胴部との間に進入し、更に可動挟持部材２６が傾動することで固定挟持部材２４との間で背シール部１２ｃを袋胴部から立上げることなく挟持位置が僅かに離間した状態で挟持する。前記可動挟持部材２６が背シール部１２ｃの延出端から進入した後の所定タイミングにおいて、吸着手段４６による袋吸着が解除され、袋１２はキャリア２３および一対の支持板２８,２８上に載置されると共に背シール部１２ｃが挟持手段２２で挟持された状態で下流側に移送される(図３参照)。前述したように、吸着手段４６で背シール部１２ｃを凹部２７,２７に引き込むと共に可動挟持部材２６で袋胴部を押し上げる作用により、少なくとも挟持手段２２での挟持位置に対応する部位の背シール部１２ｃは袋胴部から離間し、かつ可動挟持部材２６の先端が楔状に形成されているから、該可動挟持部材２６の先端は背シール部１２ｃと袋胴部との間への進入が容易となり、背シール部１２ｃは挟持手段２２の傾斜面２４ｂ,２６ｂで確実に挟持される。
【００２３】
前記移送コンベヤ１８で移送される袋１２は、前記開口手段による袋口の開口位置において、移送コンベヤ１８の一方側に延出する開口側の下面が、図５に示す如く、前記吸着ベルト５０の上面に吸着保持され、この状態で下流側に移送されつつ物品供給手段による物品供給が行なわれる。すなわち、移送コンベヤ１８により移送される袋１２は、背シール部１２ｃが挟持手段２２で挟持されると共に、その挟持位置より開口側が吸着ベルト５０上に吸着保持されているから、袋１２が位置ずれすることなく開口手段と物品供給手段による開口および物品供給は良好に行なわれる。そして、袋内に物品が供給された袋１２の袋口部が、前記シール手段によりシールされる。このとき、背シール部１２ｃは袋胴部から立上がることなく挟持手段２２における傾斜面２４ｂ,２６ｂで挟持位置が袋胴部から僅かに離間したのみの挟持状態となり、また実施例のように挟持手段２２が袋開口端まで至ることなく袋長さの中央部の所定範囲を挟持することで、シール手段による袋開口部のシールに際して背シール部１２ｃが逆方向に折れ曲がったり位置ズレすることでシールしわが発生してシール不良となることを未然に防止できる。
【００２４】
また挟持手段２２で背シール部１２ｃを挟持しているから、物品供給手段により袋口を最大限に開口した状態で物品を供給することができ、物品に対して袋１２の大きさ(胴回り寸法)に余裕が少ないものであっても、物品を良好に供給することができる。更に袋口にクランプ等が存在していないから、物品供給時に物品が干渉して損傷したり集合物品の集合姿勢が乱れたりするおそれもない。更にまた、袋１２のサイズが変わっても、袋幅方向に移送すると共に袋幅の略中央に設けられた背シール部１２ｃを挟持するものであるから挟持手段２２の移送方向への位置調節を行なう必要はなく、サイズ変更に容易に対応することができる。また背シール部１２ｃが移送方向上流側に向けて袋胴部に沿うよう折曲げられ、かつ上流側に位置する可動挟持部材２６が移送方向下流側へ移動するようにしたので、連続走行する挟持手段２２が袋受取り位置に到来した時に可動挟持部材２６が背シール部１２ｃの延出端から該背シール部１２ｃと袋胴部との間に容易に進入できる。
【００２５】
物品が供給されると共に袋口部がシールされた袋詰品は、前記挟持手段２２におけるフォロワ４２が袋解放位置に配設されたカム部材４４の第１転動面４４ａを転動して可動挟持部材２６が開放位置に傾動することで、背シール部１２ｃの挟持は解除されて袋詰機から排出される。
【００２６】
〔変更例〕
本願は前述した実施例の構成に限定されるものでなく、その他の構成を適宜に採用することができる。
１．袋１２を実施例のように横にした状態で保持して移送する他、袋１２を縦にした状態、あるいは袋口を上方にして袋底部を斜状にした姿勢で保持して移送する袋詰機にも採用することができる。
２．吸着手段４６は、吸着カップ４６ａ,４６ａで背シール部１２ｃを吸着してマガジン１４から袋１２を取出すと共に背シール部１２ｃを袋胴部から離間するようにしているが、別途設けた取出し用吸着具で袋１２の他の部位を吸着してマガジン１４から取出すようにしてもよい。吸着手段４６での背シール部１２ｃの吸着位置に関しては、挟持手段２２での挟持位置外となる位置であれば、実施例のように挟持位置を挟む両側の２箇所に限らず、１箇所、あるいは３箇所以上であってもよく、また吸着部位についても背シール部１２ｃの長さの中央、あるいはその他複数の部位であってもよい。また前記取出し用吸着具で袋１２を取出す場合は、該吸着具での袋取出し動作と、吸着手段４６で背シール部１２ｃを袋胴部から離間させる動作を別々に行なう構成を採用し得る。なお、この場合のように吸着手段４６が背シール部１２ｃを袋胴部から離間させる作用のみを行なう構成(袋取出しを兼用しない構成)では、該吸着手段４６を省略することが可能であり、これに代えて、例えば背シール部１２ｃと袋胴部との間に吹付け手段によりエアーを吹付けて隙間をあけたり、あるいは引掛け手段で背シール部１２ｃの延出端を引っ掛けて隙間をあける構成を採用し得る。
３．背シール部１２ｃを吸着する吸着手段４６によりマガジン(袋載置部)１４から取出した袋１２を挟持手段２２へ受渡すに際し、吸着手段４６を、移送コンベヤ(移送手段)１８に近接する方向に向けた所定の位置まで下降するように移動させた後、袋１２の保持状態で移送コンベヤ(移送手段)１８の移送方向へ該コンベヤ(移送手段)１８の移送速度より遅い速度で水平移動させる。そして、吸着保持された袋１２の移動に対して移送コンベヤ(移送手段)１８に配設された挟持手段２２が追いついて背シール部１２ｃを挟持し得る位置に達した後、必要に応じて吸着手段４６あるいは前記２．で挙げた各手段により背シール部１２ｃを袋胴部から離間した状態とすると共に、吸着手段４６で保持している袋１２を挟持手段２２と共に移送コンベヤ(移送手段)１８の移送速度と略同速度で移動し、この移動中に、挟持手段２２で袋胴部を押して背シール部１２ｃを挟持させると共に、吸着手段４６による背シール部１２ｃの吸引を解除するよう構成してもよい。このような構成を採用することが、吸着手段４６から挟持手段２２への袋１２の受渡しを一層確実に実施できて最も好ましい。
４．挟持手段２２による背シール部１２ｃの挟持長さ、挟持する箇所数は、袋１２の大きさ(長さ)等に応じて適宜設定することができる。
５．可動挟持部材２６を挟持位置と開放位置との間を揺動させる機構は、実施例のものに限定されるものでなく、袋受取り位置や袋解放位置に配設したシリンダ等の作動手段により傾動させる等その他の各種構成を採用し得る。
６．実施例の挟持手段２２では、一方の挟持部材(可動挟持部材２６)のみを揺動するよう構成したが、両挟持部材が相互に近接・離間移動することで背シール部１２ｃを挟持するものであってもよい。
【図面の簡単な説明】
【００２７】
【図１】本発明の好適な実施例に係る袋保持移送装置を、可動挟持部材が開放位置に傾動した状態で示す要部概略正面図である。
【図２】実施例に係る袋保持移送装置を、可動挟持部材が挟持位置に傾動した状態で示す要部概略正面図である。
【図３】実施例に係る袋保持移送装置の要部概略平面図である。
【図４】実施例に係る袋保持移送装置の要部概略側面図である。
【図５】実施例に係る袋保持移送装置で袋を移送する状態を示す要部概略平面図である。
【符号の説明】
【００２８】
１２ 袋，１２ａ 底シール部，１２ｂ 背シール部，１４ マガジン(袋載置部)
１８ 移送コンベヤ(移送手段)，２２ 挟持手段，２４ 固定挟持部材(挟持部材)
２６ 可動挟持部材(一方の挟持部材)，４６ 吸着手段
５０ 吸着ベルト(吸着移送手段)，５２ 吸引チャンバー(吸着移送手段)
【図１】
2006182360.tif 000003
【図２】
2006182360.tif 000004
【図３】
2006182360.tif 000005
【図４】
2006182360.tif 000006
【図５】
2006182360.tif 000007